(57)【要約】      （修正有）【課題】安全に傘を使用できるようにした傘の露先キャップを提供する。【解決手段】傘Ｕにおける傘骨Ｂ先端の露先に取り付けて、他者・他物に当たったときの衝撃を緩衝する緩衝具本体１から成る。緩衝具本体１は、露先部分に嵌め合わせる取付穴を有する連結部２と、他者・他物等に当たったときに屈曲する屈曲部４とを軟質性の合成樹脂材によって一体状に形成し、緩衝具本体１は、連結部２と屈曲部４とを側面から見てほぼく字状に折曲形成する。取付穴の奥部は、連結部２と屈曲部４との折曲部位には至らない程度の深さ位置に設定する。屈曲部４の屈曲方向は、傘Ｕの内側に向いており、屈曲部４が屈曲するときの屈曲外側面は少なくとも湾曲面状に形成する。【選択図】図１
0003225416.tif 000002
【実用新案登録請求の範囲】
【請求項１】
傘における傘骨先端の露先に取り付けられて、他者・他物に当たったときの衝撃を緩衝する緩衝具本体から成るキャップであって、緩衝具本体は、露先部分に嵌め合わせられる取付穴を有する連結部と、他者・他物に当たったときに屈曲される屈曲部とが柔軟な軟質性の合成樹脂材によって一体状に形成されていることを特徴とする傘の露先キャップ。
【請求項２】
緩衝具本体は、連結部と屈曲部とを側面から見てほぼく字状に折曲形成してある請求項１に記載の傘の露先キャップ。
【請求項３】
連結穴は、連結穴の奥部が、連結部と屈曲部との折曲部位には至らない程度の深さ位置に設定されている請求項１または２に記載の傘の露先キャップ。
【請求項４】
屈曲部の屈曲方向は、傘の内側に向けられている請求項１乃至３のいずれかに記載の傘の露先キャップ。
【請求項５】
屈曲部が屈曲されるときの屈曲外側面は少なくとも湾曲面状になっている請求項１乃至４のいずれかに記載の傘の露先キャップ。
【考案の詳細な説明】
【技術分野】
【０００１】
この考案は、日傘、雨傘等の周縁で突出状になっている傘骨先端の露先による危険性を除去し、露先が例えば他者の身体等に当たることがあっても怪我等を生じさせないようにし、安全に傘を使用できるようにした傘の露先キャップに関する。
【背景技術】
【０００２】
従来から、晴天時では日傘が、雨天時では雨傘が使用されており、これらの傘が使用されるとき、傘の周縁に突出している傘骨の先端である露先が他者の身体等に当たることで、不意の思わぬ怪我をさせてしまうことがある。特に使用中では、露先位置がちょうど他者の頭部の高さにあることが多く、無防備な頭部を傷つけたり、目線位置に近いこともあって特に目を損傷させたり等の各種トラブルの原因となることもあった。また、子供等の傘にあっては、使用している子供の振舞い等によって無意識にしかも不規則にでも動き、周囲にいる他者に対して当たることが多いのである。
【０００３】
こうしたことから、露先による危険性を除去するため、例えば特許文献１に示されるコウモリ傘があり、特許文献２に示される傘骨に点灯表示部を有する傘等が提案されている。特許文献１のコウモリ傘は、親骨の先端に突き目防止の球状露先をコウモリ傘の開閉に伴い移動するように設け、傘の開放時では球状露先が親骨の先端外方に位置することで他者に対する突き目等を防止するようにして成る。特許文献２の傘は、傘骨の先端に設けた点灯表示部によって夜間において四方から容易に確認されるようにし、また人混みで人の顔面に当たる事故を防止できる安全性が得られるとする。
【先行技術文献】
【特許文献】
【０００４】
【特許文献１】特許第５１８０１５９号公報
【特許文献１】特開平８−２９４４０８号公報
【考案の概要】
【考案が解決しようとする課題】
【０００５】
ところが、特許文献１のコウモリ傘では球状露先を親骨の先端で移動させるとするから、傘の開閉操作に球状露先の移動を関連させる連繋構造を組み込む必要があり、その構成は複雑になるばかりでなく、極めて面倒である。特許文献２の傘では点灯表示部を点灯させるための点灯構造物、電池が必要であり、これの構成は特許文献１と同様にその製作は面倒であり、取り扱いも手間が掛かる。
【０００６】
そこでこの考案は叙上のような従来存した諸事情に鑑み案出されたもので、傘の周縁から突出する傘骨の先端に屈曲自在な屈曲部を設けることで従来存した問題点を解消でき、
しかも従来から提供されている一般的な傘の露先に簡単に取り付けられ、汎用性も高い傘の露先キャップを提供することにある。
【課題を解決するための手段】
【０００７】
上述した課題を解決するため、この考案にあっては、傘Ｕにおける傘骨Ｂ先端の露先に取り付けられて、他者・他物に当たったときの衝撃を緩衝する緩衝具本体１から成るキャップであって、緩衝具本体１は、露先部分に嵌め合わせられる取付穴３を有する連結部２と、他者・他物に当たったときに屈曲される屈曲部４とが柔軟な軟質性の合成樹脂材によって一体状に形成されていることを特徴とする。
緩衝具本体１は、連結部２と屈曲部４とを側面から見てほぼく字状に折曲形成して構成することができる。
取付穴３は、取付穴３の奥部が、連結部２と屈曲部４との折曲部位には至らない程度の深さに設定されて構成することができる。
屈曲部４の屈曲方向は、傘Ｕの内側に向けられているものとして構成することができる。
屈曲部４が屈曲されるときの屈曲外側面は少なくとも湾曲面状となして構成することができる。
【０００８】
以上のように構成されたこの考案に係る傘の露先キャップにあって、露先に取り付けられた軟質性の合成樹脂材によって形成された緩衝具本体１の屈曲部４が傘の使用中に他者・他物に当たったとき、この当たったときの衝撃を傘Ｕ側に屈曲して和らげ、他者・他物を損傷させない。と
緩衝具本体１の連結部２は、これの取付穴３によって露先に嵌め合わせられており、屈曲部４が他者・他物に当たったときでも露先から抜脱させず、嵌め合い状態を維持することで屈曲部４による屈曲作用を円滑にさせる。
屈曲部４は傘Ｕの内側に向けられて屈曲することで、取付穴３の奥部が折曲部位に至らない位置であることとも相俟ち、露先が他者・他物に当たったとき湾曲している傘骨Ｂの内側方向に沿うことで屈曲部４の屈曲作用をさらに円滑にし、緩衝作用を減殺させない。
屈曲部４の屈曲外側面は少なくとも湾曲面状となっていることで、当たったときの衝撃面上で滑るようになり、衝撃力を吸収し分散させる。
【考案の効果】
【０００９】
この考案は以上説明したように構成されているため、傘Ｕにおける傘骨Ｂの先端である露先に取り付けておくことで、使用中に他者・他物に当たることがあっても、当たったときに屈曲されることでその衝撃力を和らげ、他者・他物を損傷させず、突き当て等に伴う事故等を未然に防止することができる。
【００１０】
すなわち、これはこの考案において、傘Ｕの露先に取り付けられるようにした緩衝具本体１を、露先部分に嵌め合わせる取付穴３を有する連結部２と、他者・他物に当たったときに屈曲される屈曲部４とを柔軟な軟質性の合成樹脂材によって一体状に形成したからであり、これによって、他者・他物に当たったときに屈曲部４が屈曲することで衝撃等を吸収し損傷させないのである。
【００１１】
また、連結部２の取付穴３が露先にしっかりと嵌め合わせられていることで、屈曲部４が他者・他物に当たっても緩衝具本体１が露先から抜脱されることもなく、衝撃等を吸収することができる。
【００１２】
屈曲部４の屈曲方向が傘Ｕの内側に向けられていて、露先の先端位置は連結部２と屈曲部４との折曲部位に至らないことからも、当たったときの屈曲部４自体の屈曲作用が円滑になり、また屈曲部４の屈曲外側面が湾曲面状であることと相俟ち、当たった箇所の衝撃面に対する衝撃力を吸収、分散させ、損傷させることがない。
【００１３】
尚、上記の課題を解決するための手段、考案の効果の項それぞれにおいて付記した符号は、図面中に記載した構成各部を示す部分との参照を容易にするために付した。この考案は、これらの記載、図面中の符号等によって示された構造・形状等に限定されない。
【図面の簡単な説明】
【００１４】
【図１】この考案を実施するための一形態を示す一部の拡大を含む使用状態の斜視図である。
【図２】同じく使用状態の断面図である。
【図３】同じく他者の身体等に当たったときに曲がることで緩衝作用を発揮している説明側面図である。
【考案を実施するための形態】
【００１５】
以下、図面を参照してこの考案を実施するための一形態を説明すると、図において示される符号１は、傘Ｕにおける傘骨Ｂの先端である露先に取り付けられる緩衝具本体であり、この緩衝具本体1は柔軟性・弾力性ある軟質な合成樹脂材によって側面から見て例えばほぼ「く」字状を呈するように折曲形成されている。
【００１６】
すなわち、この緩衝具本体１は、露先部分、特にその先端部分を覆うようにやや強制的に嵌め合わせられるように取付穴３を有する連結部２と、他者・他物等に当たったときに屈曲し、他者・他物等に対して僅かにでも食い込むようなことがなく屈曲される屈曲部４とが一体状に折曲形成されている。緩衝具本体１自体は、例えば軟質の塩化ビニール樹脂、ゴム、エラストマー等の軟質性素材によって一体に形成される。
【００１７】
連結部２、屈曲部４は、屈曲部４が屈曲されるときの屈曲外側面が少なくとも湾曲面状になっており、また屈曲されることと相俟って、他者・他物等に当たったときその他者・他物面上を滑るようにもなって当たったときの衝撃作用を減殺するよう配慮してある。そのため、例えば屈曲部４の先端は平坦面状あるいは僅かにでも湾曲面状に形成しておき、当たったときには食い込むように突き当てることなく屈曲部４自体を屈曲側に速やかに屈曲させることで、他者・他物面を損傷しないようにしている（図２参照）。
【００１８】
連結部２の取付穴３は、これの奥部は、通常の露先部分にしっかりと嵌め合わせられるように対応している例えば円柱状の空洞に形成されている。また露先に嵌め合わせられるときの連結部２自体は、露先部分に被されるときにはやや膨脹されるように素材自体の特性によって一時的に大径となっても、連結部２自体は露先の全体をしっくりと覆うようになっている。
【００１９】
屈曲部４は、緩衝具本体１の全体が側面から見て「く」字状であることで、その折曲部位で、折曲側に一層大きく屈曲されるようにしてある。連結部２における取付穴３の奥部位置は折曲部位には至らない程度の深さに設定されていて、取付穴３内に挿入配置される露先が緩衝具本体１の屈曲作用を阻害しないようにしている（図２参照）。
【００２０】
また、屈曲部４自体は、緩衝具本体１が露先を覆うように取り付けられることで、露先を実質的にも形状的にも大きくしており、大きくしていることで傘の周縁における傘骨の突出部分を目立つようにもしている。それゆえ、可能な限り屈曲部４は大型化されていることが好ましい。
【００２１】
緩衝具本体１は、少なくとも屈曲部４においては例えば白色、黄色等の色彩的にも目立つものとしてあるも、傘のデザインとの関連で他の色彩としたり、単色でなく複合的な多色形式による色彩文様のものとしたりでき、いずれにしても外形的なデザインはさまざまに変更可能である。
【００２２】
尚、屈曲部４は、連結部２と共に側面で「く」字状を呈するものとして図示されているが、屈曲部４全体あるいは屈曲部４の先端部分を反転するような例えばＵ字状に形成しておくこともできる。いずれにしても、屈曲部４の先端が他者・他物に当たったときに当たったときの衝撃で屈曲されるようになっていれば良い。
【００２３】
次にこれの使用の一例を説明すると、日傘、雨傘更には子供用傘を問わず、傘における傘骨の先端に設けられている露先に緩衝具本体１を取り付けるのであり、連結部２の取付穴３によって露先を覆うように強制的に嵌め合わせる。このとき、屈曲部４は傘の内側に向けられているのが良く、内側に向けることで、傘骨の湾曲形状と相俟って屈曲部４の屈曲作用を円滑にさせることができる。
【００２４】
こうしておいて、傘を使用する場合、例えば人混み、信号待ち更には歩行中でも、例えば無意識にでも傘を動かし、他者・他物に当たった場合、緩衝具本体１の屈曲部４が当たったときの衝撃で屈曲され、その衝撃を吸収し、和らげて傷を負わせるようなことがなく、損傷事故等を未然に防止できる。
【符号の説明】
【００２５】
Ｕ…傘
Ｂ…傘骨
１…緩衝具本体
２…連結部
３…取付穴
４…屈曲部
【図１】
0003225416.tif 000003
【図２】
0003225416.tif 000004
【図３】
0003225416.tif 000005